(57)【要約】      （修正有）【課題】傘を折りたたむ際に先に位置を固定し閉じた後の傘布の部分を整理しやすいようになっており、同時に、整理がスピーディーに行なえ、また、整理後の傘は原状を保ち、変形しにくくて傘の美観も増すという特長を持つ、傘のランナーユニット固定構造を提供する。【解決手段】本考案の傘のランナーユニット固定構造は、ランナーユニットに蜂の巣型リング１４、ランナー管１１及びカバー筒１３が取り付けられている。ランナーユニットの固定リング１２には複数の結合溝１２１があり、さらに、結合溝の内側には固定溝１２２がある。複数の固定溝はストレッチャー２１を軸接続するようになっている。ストレッチャーの軸接続箇所は固定リングの固定溝内にある。蜂の巣型の溝１４１は結合溝の設置位置と一致していて、ストレッチャーの動きに対応している。固定リングにある結合溝はどれも、折りたたんだ後のストレッチャーを先に結合溝内部に固定するようになっている。【選択図】図６
0003107511.tif 000002
【実用新案登録請求の範囲】
【請求項１】
ランナーユニットに蜂の巣型リング、ランナー管及びカバー筒が取り付けられていて、
ランナーユニットの固定リングには複数の結合溝があり、さらに、結合溝の内側には固定溝があって、複数の固定溝はストレッチャーを軸接続するようになっていて、ストレッチャーの軸接続箇所は固定リングの固定溝内にあり、蜂の巣型の溝は結合溝の設置位置と一致していて、ストレッチャーの動きに対応していて、固定リングにある結合溝はどれも、折りたたんだ後のストレッチャーを先に結合溝内部に固定するようになっているため、共に収納された傘布部分も整理されて、きちんと収納できるようになっている、傘のランナーユニット固定構造。
【考案の詳細な説明】
【技術分野】
【０００１】
本考案は折りたたみ傘のランナーユニットの固定構造に関する。本考案のランナーユニットの固定構造は、ランナーユニットに固定構造が増設されていて、折りたたむ際にストレッチャーが固定されるようになっている。したがって、傘をたたむ際、便利できれいに折りたため、整理しやすいという特長を持つ。
【背景技術】
【０００２】
一般に市販されている折りたたみ式傘は軽くて携帯に便利であるというメリットがあるものの、複雑な折りたたみ構造をしているという点は否めない。図1及び図２を参照いただきたい。従来のランナーユニット１０の構造は、その中心を傘の柄２０が貫いている。そのランナーユニット１０には蜂の巣型の溝１０１があり、傘の布部分を支える数本のストレッチャー３０が軸接続されている。ランナーユニット１０の上下移動により、ストレッチャー３０が動き、傘の布部分を開いたり閉じたりする。傘を折りたたむ際は、このストレッチャー３０がその軸接続した箇所を利用して、傘の布部分をストレッチャー３０を閉じて折りたたむようになっている。しかしながら、従来のストレッチャー３０では、折りたたむ際に傘の柄の握り部分の接続パーツ３０１を手でしっかり握らなければ、傘布の部分をきれいに整理してきちんと折りたたむことができない。
【考案の開示】
【考案が解決しようとする課題】
【０００３】
本考案は、上記従来の傘の問題点 を解決することを課題とする。
【課題を解決するための手段】
【０００４】
本考案の傘のランナーユニット固定構造は、ランナーユニットに蜂の巣型リング、ランナー管及びカバー筒が取り付けられている。ランナーユニットの固定リングには複数の結合溝があり、さらに、結合溝の内側には固定溝がある。複数の固定溝はストレッチャーを軸接続するようになっている。ストレッチャーの軸接続箇所は固定リングの固定溝内にある。蜂の巣型の溝は結合溝の設置位置と一致していて、ストレッチャーの動きに対応している。固定リングにある結合溝はどれも、折りたたんだ後のストレッチャーを先に結合溝内部に固定するようになっているため、共に収納された傘布部分も整理されて、きちんと収納できるようになっている。同時に、整理がスピーディーに行なえるというメリットもある。整理後の傘は原状を保ち、変形しにくいので、傘の美観も増すという特長を持つ。
【考案の効果】
【０００５】
本考案の傘のランナーユニット固定構造は、傘を折りたたむ際に先に位置を固定し閉じた後の傘布の部分を整理しやすいようになっている。同時に、整理がスピーディーに行なえるというメリットもある。整理後の傘は原状を保ち、変形しにくいので、傘の美観も増すという特長を持つ。
また、本考案の傘のランナーユニット固定構造は、その構造が極めてシンプルであり、その固定構造が一体複合でランナーユニットに設けられているため、製造上便利で別に加工する必要がない。したがって、実用的であると同時に、経済的効果も高い。
【考案を実施するための最良の形態】
【０００６】
図３から図５、図７、図８を参照いただきたい。本考案の傘のランナーユニット固定構造は、主にランナーユニット１の構造を改良したものである。そのランナーユニット１の内部は傘の柄２が貫通していて、ランナーユニット１と傘の柄２及び傘布の部分３の間に接続された複数のストレッチャー２１及び傘骨２２がある。
【０００７】
ランナーユニット１の中ほどには固定リング１２及び蜂の巣型リング１４があって、その二つのリングの上下にはそれぞれランナー管１１及びカバー筒１３が取り付けられている。このランナー管１１の一側面には固定穴１１１があって、傘の柄２がランナーユニット１の中を貫通する時、ランナーユニット１が上に移動して傘布部分３を広げる際、この固定穴１１１に傘の柄２にあるスプリングパーツ２４がはまり込んでランナーユニット１を固定するようになっている。また、スプリングパーツ２４を内側に押すと固定穴１１１から離脱し、ランナーユニット１が下に向かって移動し傘を閉じる。
【０００８】
図４から図７を参照いただきたい。ランナーユニット１が傘の柄２を上に移動して傘布部分３を開く時、あるいは、下に移動して傘布部分３を閉じる時、このランナーユニット１の使用状態は、カバー筒１３が上方にあり、ランナー管１１が下に向かって設置されている状態である。固定リング１２は蜂の巣型リング１４の下方にあって、この固定リング１２には複数の結合溝１２１があり、さらに、結合溝１２１の内側には固定溝１２２がある。複数の固定溝１２２はストレッチャー２１を軸接続するようになっている。ストレッチャー２１はそれぞれ接続パーツ２３によってその他のストレッチャー２１及び傘骨２２に接続されている。さらに、ストレッチャー２１の軸接続箇所は固定リング１２の固定溝１２２内にある。しかしながら、ストレッチャー２１が活動できる空間は蜂の巣型リング１４の蜂の巣型の溝１４１の中である。当然、蜂の巣型の溝１４１は結合溝１２１の設置位置と一致していて、ストレッチャー２１の動きに対応している。
【０００９】
上述の固定リング１２にある結合溝１２１内部の固定溝１２２は、それぞれストレッチャー２１を取り付けるためにあるが、それ以外に、それぞれの結合溝１２１にとって最も重要機能は、折りたたんだ後のストレッチャー２１がまず結合溝１２１内部に固定されて、その後、共に閉じられた傘布部分３が整理されて収納されるということである。ストレッチャー２１が先に固定されることにより、従来の傘のようにストレッチャーが固定されないために位置が偏って傘布部分３を整理する時に不便が生じて、収納した後も美観を損ねるといった問題が発生しない。
【図面の簡単な説明】
【００１０】
【図１】従来の傘のランナーユニットの立体外観図である。
【図２】従来の傘のランナーユニットの使用状態における部分断面図である。
【図３】本考案のランナーユニットに傘骨を組み合わせた実施例の立体図である。
【図４】本考案のランナーユニットの立体外観図である。
【図５】本考案のランナーユニットと傘骨の部分分解立体図である。
【図６】図５を分解した状態及びランナーユニットの断面図である。
【図７】本考案の実施例において、傘を開いた後のランナーユニットの使用状態を示した図である。
【図８】本考案の実施例において、傘を開いた状態を示した実施例の立体図である。
【符号の説明】
【００１１】
１０        ランナーユニット
１０１      蜂の巣型の溝
２０        傘の柄
３０        ストレッチャー
１          ランナーユニット
１１        ランナー管
１１１      固定穴
１２        固定リング
１２１      結合溝
１２２      固定溝
１３        カバー筒
１４        蜂の巣型リング
１４１      蜂の巣型の溝
２          傘の柄
２１        ストレッチャー
２２        傘骨
２３        接続パーツ
２４        スプリングパーツ
３          傘の布部分
【図１】
0003107511.tif 000003
【図２】
0003107511.tif 000004
【図３】
0003107511.tif 000005
【図４】
0003107511.tif 000006
【図５】
0003107511.tif 000007
【図６】
0003107511.tif 000008
【図７】
0003107511.tif 000009
【図８】
0003107511.tif 000010